(57)【要約】【課題】寄書きへの参加を広く募ることができ、予め寄書きの形式を定めることが可能なシステムの提供。【解決手段】発起人が立案した寄書き参加企画を参加予定者に通知して寄書き参加企画への参加を募る寄書き参加企画システム。参加企画情報記録手段２１、寄書き作成のための関連情報を記録する寄書き作成用情報記録手段２２、発起人端末１３および参加予定者端末１５に表示する画面情報を作成する入力用画面作成手段３２、画像作成手段３３、参加要請通知を作成送信する参加要請通知作成手段３５を備え、入力用画面作成手段は、寄書き参加企画申込画面を作成して発起人端末１５に送信し、参加要請通知作成手段は前記寄書き参加企画申込画面に入力された送信先情報に基づいて参加予定者端末１５に参加要請通知の送信を行う。【選択図】図１
2008052572.tif 000002
【特許請求の範囲】
【請求項１】
発起人が立案した寄書き参加企画に関する情報である寄書き参加企画情報を、参加予定者に通知して前記寄書き参加企画への参加を募る寄書き参加企画システムであって、
情報取得部で取得した前記寄書き参加企画情報を記録する寄書き参加企画情報記録手段と、
寄書き作成のためにあらかじめ準備されている関連情報を記録する寄書き作成用情報記録手段と、
情報出力部から出力する、前記寄書き作成用情報記録手段に記録されている情報に基づいて前記寄書き参加企画を申し込む寄書き参加企画申し込み画面の表示情報作成すると共に、前記寄書き参加企画情報に基づいて寄書き参加企画への参加を申し込む寄書き申し込み画面の表示情報を作成する入力用画面作成手段と、
情報出力部から出力する、前記寄書き参加企画情報に基づいて前記寄書き参加企画への参加を募る寄書き参加要請通知を作成する参加要請通知作成手段と、
前記寄書き作成用情報記録手段に記録されている情報及び、前記寄書き参加企画情報、又は、情報取得部で取得した、寄書き参加企画申し込み画面および寄書き申し込み画面に入力された情報に基づいて、寄書き画像を作成する画像作成手段とを備え、
前記参加要請通知作成手段が作成し、情報出力部から出力する、前記寄書き参加要請通知は、情報取得部で取得した、寄書き参加企画申し込み画面に入力された情報に含まれている送信先情報に基づく送信先に送信される
ことを特徴とする寄書き参加企画システム。
【請求項２】
入力用画面作成手段は、少なくとも、前記寄書きの形状又はサイズに関する情報及び、前記寄書きの種類に関する情報、発起人を特定する情報、寄書きを贈る人を特定する情報及び／又は寄書きを贈る企画を特定する情報、参加締め切り日時に関する情報、参加予定人数に関する情報、前記寄書き参加要請通知を届けることを発起人が希望する者に寄書き参加要請通知を届けるために必要な情報の入力を促す情報が含まれている前記寄書き参加企画申し込み画面の表示情報を作成するものであることを特徴とする請求項１記載の寄書き参加企画システム。
【請求項３】
入力用画面作成手段によって作成され、情報出力部から出力される、前記寄書き参加企画への参加を申し込む寄書き申し込み画面の表示情報には、前記画像作成手段によって作成された寄書き画像と、当該寄書き画像に対して寄書きの書込みを促す情報とが含まれていると共に、
当該寄書きの書込みが、前記寄書き画像に反映表示される領域範囲を指定する情報の入力又は当該領域範囲を委託する情報の入力を促す情報が含まれており、
前記画像作成手段は、情報取得部で、前記寄書きの書込みが前記寄書き画像に反映表示される領域範囲を委託する情報を取得したときに、前記寄書き画像の所定位置を中心としてその周囲において、当該情報を取得した時点で、未使用領域が多い部分に該当する未使用領域範囲を優先的に前記寄書きの書込みが記載される領域範囲として寄書き画像を作成する
ことを特徴とする請求項１又は２記載の寄書き参加企画システム。
【請求項４】
前記寄書き作成用情報記録手段には、少なくとも、前記寄書きの書込みが、前記寄書き画像に反映表示される領域範囲の位置又はサイズに応じて、前記寄書き参加企画に参加する課金を定めた課金情報が記録されていることを特徴とする請求項１乃至３のいずれか一項記載の寄書き参加企画システム。
【請求項５】
入力用画面作成手段は、少なくとも、前記寄書き参加企画に参加を申し込む者に対する課金を決済するための情報である課金決済情報の入力を促す情報が含まれている寄書き申し込み画面の表示情報を作成し、
前記寄書き参加企画システムは、情報取得部で取得した、当該寄書き参加企画に参加を申し込む者に対する課金を決済するための情報である課金決済情報を、情報出力部を介して外部金融機関の課金決済サーバに送信し、当該課金決済サーバからの課金決済可否の返信情報により、前記課金決済の可否判定を行う判定手段を
更に備えていることを特徴とする請求項１乃至４のいずれか一項記載の寄書き参加企画システム。
【請求項６】
前記判定手段は、寄書き参加企画申し込み画面の表示情報に含まれている参加締め切り日時、参加予定人数に関する情報の入力を促す情報に基づいて、情報取得部で取得した参加締め切り日時、参加予定人数に関する情報及び、課金決済が可能と判定された前記寄書き参加企画に参加を申し込む者の数に応じて、前記寄書き参加企画の成立可否の判定を行い、この判定結果を記載した判定結果通知情報を作成して、情報出力部を介して出力することを特徴とする請求項５記載の寄書き参加企画システム。
【請求項７】
前記寄書き参加企画情報記録手段には、各寄書き参加企画情報に関連付けて、発起人に対する課金を決済するための情報である課金決済情報を含む発起人情報と、前記判定手段が課金決済可能と判定した前記寄書き参加企画に参加を申し込む者に対する課金を決済するための情報である課金決済情報を含む参加者情報が少なくとも記録され、
前記判定手段は、前記寄書き参加企画が成立した場合に、前記寄書き参加企画情報に含まれる所定の情報を情報出力部から送信すると共に、前記発起人情報及び課金決済が可能と判定された前記寄書き参加企画に参加を申し込む者に関する情報、並びに、前記発起人に対する課金を決済するための情報である課金決済情報と、前記判定手段が課金決済可能と判定した前記寄書き参加企画に参加を申し込む者に対する課金を決済するための情報である課金決済情報とを情報出力部から送信することを特徴とする請求項６記載の寄書き参加企画システム。
【発明の詳細な説明】
【技術分野】
【０００１】
本発明は、結婚披露宴、卒業式、記念パーティー、記念行事、等の式や会などにあたり、複数人で協力して寄書きを作成して贈答する企画である寄書き参加企画への参加を広く募ることができる寄書き参加企画システムに関する。
【０００２】
なお、本発明において、「結婚披露宴、卒業式、記念パーティー、記念行事、等の式や会などにあたり、複数人で協力して寄書きを作成して贈答する企画」を単に「寄書き参加企画」と表す。
【背景技術】
【０００３】
結婚披露宴、卒業式、記念パーティー、記念行事、等の式や会などでは、当該式や会などへの出席者が色紙に心を込めた祝いの言葉などを書込む寄書きを作成して贈答することがよく行われている。この寄書きは、式や会などに出席した者に紙媒体である色紙を廻し、それぞれ色紙の一部分に言葉を書込むため、時間と手間がかかり、また、記載形式、等に各種の制限がある。
【０００４】
そこで近年のコンピュータ技術の発展、普及に伴い、上記色紙に替えてタブレットコンピュータに手書きの絵や文字を入力することで、寄書きの利便性を向上させた電子寄書き装置が提案されている（特許文献１）。
【０００５】
また、記念行事等の進行中に撮影された写真画像と寄書きとの合成画像を作成する寄書き編集装置が提案されている（特許文献２）。
【０００６】
上記特許文献１に記載の電子寄書き装置によれば、各出席者が思いのままに入力した寄書きを、コンピュータが自動的に適切なレイアウト調整を行い、その画面上に描画することができるとされている。
【０００７】
また上記特許文献２に記載の編集装置によれば、出席している式の進行中においても、撮影した写真画像と寄書きとの合成画像を、迅速に提供するというリアルタイム処理が可能であるとされている。
【特許文献１】特開２００６−１２７０１３号公報
【特許文献２】特開２００４−１６６０１６号公報
【発明の開示】
【発明が解決しようとする課題】
【０００８】
しかしながら、上記いずれの装置とも、寄書きを書込み、入力することができるのは、式や会の出席者に限られており、式や会に出席できない者には書込みに参加することが不可能であった。また予め寄書きの形式を選択し、寄書きへの参加を募る仕組みになっていないため、寄書きの形式に趣向を凝らすことに制限があった。
【０００９】
本発明は、結婚披露宴、卒業式、記念パーティー、記念行事、等の式や会などへの参加者に限定することなく、広く寄書きへの参加を募ることができ、また寄書きの形式を、希望する任意の形式にあらかじめ定めることが可能な、寄書き参加企画システムの提供を目的とする。
【課題を解決するための手段】
【００１０】
前記目的を達成するために本発明は、発起人が立案した寄書き参加企画に関する情報である寄書き参加企画情報を、参加予定者に通知して前記寄書き参加企画への参加を募る寄書き参加企画システムを提案するものである。
【００１１】
かかる本発明の寄書き参加企画システムは、以下に説明する寄書き参加企画情報記録手段と、寄書き作成用情報記録手段と、入力用画面作成手段と、参加要請通知作成手段と、画像作成手段とを備えている。
【００１２】
ここで、寄書き参加企画情報記録手段は、情報取得部で取得した前記寄書き参加企画情報を記録し、寄書き作成用情報記録手段は、寄書き作成のためにあらかじめ準備されている関連情報を記録するものである。
【００１３】
入力用画面作成手段は、情報出力部から出力する、前記寄書き作成用情報記録手段に記録されている情報に基づいて前記寄書き参加企画を申し込む寄書き参加企画申し込み画面の表示情報を作成すると共に、前記寄書き参加企画情報に基づいて寄書き参加企画への参加を申し込む寄書き申し込み画面の表示情報を作成するものである。
【００１４】
参加要請通知作成手段は、情報出力部から出力する、前記寄書き参加企画情報に基づいて前記寄書き参加企画への参加を募る寄書き参加要請通知を作成するものである。
【００１５】
そして、画像作成手段は、前記寄書き作成用情報記録手段に記録されている情報及び、情報取得部で取得した、寄書き参加企画申し込み画面に入力された情報、又は、情報取得部で取得した、寄書き参加企画申し込み画面および寄書き申し込み画面に入力された情報に基づいて、寄書き画像を作成するものである。
【００１６】
かかる構成からなる本発明の寄書き参加企画システムにおいて、前記参加要請通知作成手段が作成し、情報出力部から出力する、前記寄書き参加要請通知は、情報取得部で取得した、寄書き参加企画申し込み画面に入力された情報に含まれている送信先情報に基づく送信先に送信されるようになっている。
【００１７】
前述した本発明の寄書き参加企画システムによれば、寄書き参加企画の発起人は、立案した寄書き参加企画に関する情報（寄書き参加企画の内容）を、入力用画面作成手段が作成し、情報出力部から出力されている、前記寄書き参加企画を申し込む寄書き参加企画申し込み画面の表示情報を取得し、画面に表示している当該発起人所有の携帯電話、パーソナルコンピュータなどの端末を介して、画面（寄書き参加企画申し込み画面）から入力することができる。
【００１８】
そこで、寄書きを贈る式や会の趣旨に合わせた、希望する、任意の形式の寄書きを定めることができる。また、寄書きに参加して欲しい人の送信先に関する情報を入力することで、参加要請通知をこれらの人に送信することができ、式や会への出席者に限らず広く寄書きへの参加を募ることができる。
【００１９】
前述した本発明の寄書き参加企画システムにおいて、入力用画面作成手段は、少なくとも、前記寄書きの形状又はサイズに関する情報及び、前記寄書きの種類に関する情報、発起人を特定する情報、寄書きを贈る人を特定する情報及び／又は寄書きを贈る企画を特定する情報、参加締め切り日時に関する情報、参加予定人数に関する情報、前記寄書き参加要請通知を届けることを発起人が希望する者に寄書き参加要請通知を届けるために必要な情報の入力を促す情報が含まれている前記寄書き参加企画申し込み画面の表示情報を作成するものとすることができる。
【００２０】
少なくとも、寄書きの形状又はサイズに関する情報及び、前記寄書きの種類に関する情報の入力が促されることにより、発起人は、少なくとも、寄書きの形状又はサイズ及び、前記寄書きの種類に関する情報を入力することができる。
【００２１】
これによって、発起人は寄書きの形状又はサイズ及び、寄書きの種類を自分の希望に沿うように定めることが可能になる。
【００２２】
ここで、寄書きの種類としては、例えば、色紙の他、アルバム形式、ポスター或いは展示用のパネル、等が相当する。
【００２３】
寄書きの形状又はサイズとは、寄書きの種類が色紙の場合、等々におけるその形状、大きさなどのことである。
【００２４】
また、少なくとも、参加締め切り日時、参加予定人数に関する情報の入力が促されることにより、発起人は、少なくとも、参加締め切り日時に関する情報、参加予定人数に関する情報を入力することができる。
【００２５】
こうして入力された参加締め切り日時に関する情報、参加予定人数に関する情報は、後述する、寄書き参加企画が成立するか否かの判定に利用される。
【００２６】
また、少なくとも、寄書き参加要請通知を届けることを発起人が希望する者に寄書き参加要請通知を届けるために必要な情報の入力が促されることにより、発起人は、少なくとも、寄書き参加要請通知を届けることを発起人が希望する者に寄書き参加要請通知を届けるために必要な情報（たとえば、寄書き参加要請通知を届けることを発起人が希望する者の電子メールアドレス）を入力することができる。
【００２７】
これによって、発起人は、寄書き参加要請通知を届けることを希望する者（本発明において、この寄書き参加要請通知を届けることを発起人が希望する者を単に「参加予定者」と表すことがある）に対して、簡単に、寄書き参加企画への参加を募る寄書き参加要請通知を届けることができる。
【００２８】
なお、入力用画面作成手段は、贈答する寄書きの部数に関する情報、贈答日時に関する情報の入力を促す情報が含まれている前記寄書き参加企画申し込み画面の表示情報を作成するようにすることもできる。
【００２９】
より詳細な情報を、参加予定者に送信できるようにするものである。
【００３０】
前述した本発明のいずれの寄書き参加企画システムにおいても、前記入力用画面作成手段によって作成され、情報出力部から出力される、前記寄書き参加企画への参加を申し込む寄書き申し込み画面の表示情報には、前記画像作成手段によって作成された寄書き画像と、当該寄書き画像に対して寄書きの書込みを促す情報とが含まれていると共に、当該寄書きの書込みが、前記寄書き画像に反映表示される領域範囲を指定する情報の入力又は当該領域範囲を委託する情報の入力を促す情報が含まれているようにすることができる。
【００３１】
そして、この場合、前記画像作成手段は、情報取得部で、前記寄書きの書込みが前記寄書き画像に反映表示される領域範囲を委託する情報を取得したときに、前記寄書き画像の所定位置を中心としてその周囲において、当該情報を取得した時点で、未使用領域が多い部分に該当する未使用領域範囲を優先的に前記寄書きの書込みが記載される領域範囲として寄書き画像を作成するものとすることができる。
【００３２】
なお、ここで、前述した寄書き画像に対して寄書きの書込みを促す情報に応じて入力され、本発明の寄書き参加企画システムの情報取得部で取得する寄書きの書込みには、寄書きに記載する文字の他、寄書きに掲載する画像（絵、写真など）を含むものである。
【００３３】
入力用画面作成手段によって作成され、情報出力部から出力される、寄書き参加企画への参加を申し込む寄書き申し込み画面の表示情報は、寄書き参加要請通知を届けることを発起人が希望する者が所持している携帯電話やパーソナルコンピュータ等の端末（本発明において、この寄書き参加要請通知を届けることを発起人が希望する者が所持している端末を単に「参加予定者端末」と表すことがある）の画面に表示される。
【００３４】
前記のように、入力用画面作成手段によって作成され、情報出力部から出力される、前記寄書き参加企画への参加を申し込む寄書き申し込み画面の表示情報に、前記画像作成手段によって作成された寄書き画像が含まれていることにより、寄書き参加要請通知を届けることを発起人が希望する者（参加予定者）は、作成予定されている寄書きがどのように表現されるものであるが画像で確認しながら、寄書き参加企画への参加を申し込み、前記の寄書き画像に対して寄書きの書込みを促す情報に応じて、前記の寄書き画像に対して希望する寄書きの書込みを行なうことができる。
【００３５】
また、寄書きの書込みが前記寄書き画像に反映表示される領域範囲を指定する情報の入力を促す前記の情報に応じた、寄書きの書込みが前記寄書き画像に反映表示される領域範囲を指定する情報を、本発明の寄書き参加企画システムの情報取得部が取得したときには、前記画像作成手段が、当該指定された領域範囲に、当該寄書きの書込みが記載された画像情報を作成する。そこで、参加予定者の希望に応じた領域範囲に当該参加予定者が入力した寄書きの書込みが掲載されるようにすることができる。
【００３６】
このように参加予定者端末の画面上に表示される寄書き申込画面からは、寄書きの文字情報や画像情報である書込み情報の入力に加え、その書込みを行う寄書き画像上の領域範囲を指定することができるので、より自由度の高い寄書きを提供することができる。
【００３７】
一方、寄書きの書込みが前記寄書き画像に反映表示される領域範囲を委託する情報の入力を促す前記の情報に応じた、寄書きの書込みが前記寄書き画像に反映表示される領域範囲を委託する情報を、本発明の寄書き参加企画システムの情報取得部が取得したときには、前記画像作成手段が、前記寄書き画像の所定位置を中心としてその周囲において、当該情報を取得した時点で、未使用領域が多い部分に該当する未使用領域範囲を優先的に前記寄書きの書込みが記載される領域範囲として寄書き画像を作成する。
【００３８】
このように、領域範囲を委託する情報が入力されたときは、未使用領域範囲の多い部分を優先的に寄書きの書込み情報を記載する領域範囲として、寄書きにおいて表示される書込み情報の配置のバランスをとるものである。
【００３９】
なお、入力用画面作成手段によって作成され、情報出力部から出力される、寄書き参加企画への参加を申し込む寄書き申し込み画面の表示情報は、寄書き参加要請通知を届けることを発起人が希望する者が所持している携帯電話やパーソナルコンピュータ等の端末（本発明において、この寄書き参加要請通知を届けることを発起人が希望する者が所持している端末を単に「参加予定者端末」と表すことがある）の画面に表示される。
【００４０】
そこで、入力用画面作成手段によって作成され、情報出力部から出力される、前記寄書き参加企画を申し込む寄書き参加企画申し込み画面の表示情報にも、前記画像作成手段によって作成された寄書き画像が含まれているようにすることができる。
【００４１】
このようにすると、発起人は、作成予定されている寄書きがどのように表現されるものであるが画像で確認しながら発起人の希望に沿った形式の寄書きを申し込むことができる。
【００４２】
以上説明した本発明のいずれの寄書き参加企画システムにおいても、前記寄書き作成用情報記録手段には、少なくとも、前記寄書きの書込みが、前記寄書き画像に反映表示される領域範囲の位置又はサイズに応じて、前記寄書き参加企画に参加する課金を定めた課金情報が記録されている形態にすることができる。
【００４３】
寄書き参加企画によって準備され、贈答される寄書きにおいて、発起人も含めた寄せ書き参加企画に参加する人たちが、その寄書きの書込みを記載する位置（領域範囲）、その寄書きの書込みの大きさ（サイズ）に応じて、この寄書き参加企画に参加する際の各人の費用負担が異なるようにしたものである。
【００４４】
もちろん、発起人も含めた寄せ書き参加企画に参加する人たちが、その寄書きの書込みを記載する位置（領域範囲）、その寄書きの書込みの大きさ（サイズ）のいずれにもかかわらず、この寄せ書き参加企画実行に要する費用を均等に参加者で分担して負担する形態にすることもできる。
【００４５】
例えば、入力用画面作成手段は、寄せ書き参加企画実行に要する費用をどのようにして負担するかに関する情報の入力を促す情報が含まれている寄書き参加企画申し込み画面の表示情報を作成するものとしておく。
【００４６】
そして、かかる、寄せ書き参加企画実行に要する費用をどのようにして負担するかに関する情報の入力を促す情報に応じて、発起人が、発起人端末の画面に表示されている寄書き参加企画申し込み画面から、寄せ書き参加企画実行に要する費用を均等に参加者で分担して負担するとの情報を入力した場合には、これに応じて、後述する判定手段が、前記寄書き参加企画が成立し、発起人情報及び当該判定手段が課金決済可能と判定した寄書き参加企画に参加を申し込む者に関する情報、並びに、前記発起人に対する課金を決済するための情報である課金決済情報と、前記判定手段が課金決済可能と判定した前記寄書き参加企画に参加を申し込む者に対する課金を決済するための情報である課金決済情報とを情報出力部から送信する際に、当該判定手段が、各人が負担すべき費用の額（課金の額）を、寄せ書き参加企画実行に要する費用を均等に参加者で分担して負担した金額とする処理を行うようになる。
【００４７】
一方、寄せ書き参加企画実行に要する費用をどのようにして負担するかに関する情報の入力を促す情報に応じて、発起人が、発起人端末の画面に表示されている寄書き参加企画申し込み画面から、その寄書きの書込みを記載する位置（領域範囲）、その寄書きの書込みの大きさ（サイズ）に応じて、この寄書き参加企画に参加する際の各人の費用負担が異なるようにするとの情報を入力した場合には、これに応じて、後述する判定手段が、前記寄書き参加企画が成立し、発起人情報及び当該判定手段が課金決済可能と判定した寄書き参加企画に参加を申し込む者に関する情報、並びに、前記発起人に対する課金を決済するための情報である課金決済情報と、前記判定手段が課金決済可能と判定した前記寄書き参加企画に参加を申し込む者に対する課金を決済するための情報である課金決済情報とを情報出力部から送信する際に、当該判定手段が、各人が負担すべき費用の額（課金の額）を、前記寄書き作成用情報記録手段に記録されている、前記寄書きの書込みが、前記寄書き画像に反映表示される領域範囲の位置又はサイズに応じて、前記寄書き参加企画に参加する課金を定めた課金情報を参照して算出する処理を行なうようになる。
【００４８】
以上説明した本発明のいずれの寄書き参加企画システムにおいても、入力用画面作成手段は、少なくとも、前記寄書き参加企画に参加を申し込む者に対する課金を決済するための情報である課金決済情報の入力を促す情報が含まれている寄書き申し込み画面の表示情報を作成し、前記寄書き参加企画システムは、情報取得部で取得した、当該寄書き参加企画に参加を申し込む者に対する課金を決済するための情報である課金決済情報を、情報出力部を介して外部金融機関の課金決済サーバに送信し、当該課金決済サーバからの課金決済可否の返信情報により、前記課金決済の可否判定を行う判定手段を更に備えている形態にすることができる。
【００４９】
寄書き参加企画の課金決済の安全を期すため、課金決済の認諾を得てから参加申込みを受け付けるようにするためである。
【００５０】
なお、ここで、課金決済情報とは、例えば、クレジット番号、ＩＳＰ課金のためのＩＤやパスワード情報、又は、携帯電話のキャリア課金のためのＩＤやパスワード情報、等をいう。
【００５１】
なお、前記本発明の寄書き参加企画システムにおいて、前記判定手段は、寄書き参加企画申し込み画面の表示情報に含まれている参加締め切り日時、参加予定人数に関する情報の入力を促す情報に基づいて、情報取得部で取得した参加締め切り日時、参加予定人数に関する情報及び、課金決済が可能と判定された前記寄書き参加企画に参加を申し込む者の数に応じて、前記寄書き参加企画の成立可否の判定を行い、この判定結果を記載した判定結果通知情報を作成して、情報出力部を介して出力する形態にすることができる。
【００５２】
本発明の寄書き参加企画システムの情報取得部が発起人端末から取得していた参加締め切り日時、参加予定人数に関する情報と、前記判定手段によって課金決済が可能と判定された前記寄書き参加企画に参加を申し込む者の数に応じて、寄書き参加企画の成立可否の判定を前記判定手段が行うことにより、寄書き参加企画の成立、不成立を簡単に効率よく判定できるようにしたものである。
【００５３】
そして、前記判定手段が、判定結果を記載した判定結果通知情報を作成して、情報出力部を介して出力する形態にすることにより、かかる判定結果通知情報がネットワークを介して、発起人端末、前記判定手段によって課金決済が可能と判定された前記寄書き参加企画に参加を申し込む者が所有している端末に送信され、迅速に、寄書き参加企画の成立、不成立を発起人、前記判定手段によって課金決済が可能と判定された前記寄書き参加企画に参加を申し込む者に伝えることができる。
【００５４】
更に、前記本発明の寄書き参加企画システムにおいて、前記寄書き参加企画情報記録手段には、各寄書き参加企画情報に関連付けて、発起人に対する課金を決済するための情報である課金決済情報を含む発起人情報と、前記判定手段が課金決済可能と判定した前記寄書き参加企画に参加を申し込む者に対する課金を決済するための情報である課金決済情報を含む参加者情報が少なくとも記録され、前記判定手段は、前記寄書き参加企画が成立した場合に、前記寄書き参加企画情報に含まれる所定の情報を情報出力部から送信すると共に、前記発起人情報及び課金決済が可能と判定された前記寄書き参加企画に参加を申し込む者に関する情報、並びに、前記発起人に対する課金を決済するための情報である課金決済情報と、前記判定手段が課金決済可能と判定した前記寄書き参加企画に参加を申し込む者に対する課金を決済するための情報である課金決済情報とを情報出力部から送信する形態にすることができる。
【００５５】
ここで、前記寄書き参加企画が成立した場合に、前記判定手段によって情報出力部から送信される、前記寄書き参加企画情報に含まれる所定の情報は、前記成立した寄書き参加企画の実行を所定の業者、例えば、前記寄書き参加企画情報に含まれる前記寄書きの形状又はサイズに関する情報及び、前記寄書きの種類に関する情報に基づき、指定された形状・サイズ、種類で、前記判定手段が課金決済可能と判定した前記寄書き参加企画に参加を申し込む者から入力・送信された寄せ書きの書き込み情報に基づく情報が掲載された寄せ書きを準備し、前記寄書き参加企画情報に含まれる、寄書きを贈る人を特定する情報及び／又は寄書きを贈る企画を特定する情報に基づき、所定のところに当該準備した寄せ書きを届ける業者に対して提供する、前記成立した寄書き参加企画の実行を可能ならしめる情報のことをいう。具体的には、少なくとも、前記寄書き参加企画情報に含まれる前記寄書きの形状又はサイズに関する情報及び、前記寄書きの種類に関する情報と、寄書きを贈る人を特定する情報及び／又は寄書きを贈る企画を特定する情報、前記判定手段が課金決済可能と判定した前記寄書き参加企画に参加を申し込む者から入力・送信された寄せ書きの書き込み情報が、この前記寄書き参加企画が成立した場合に、前記判定手段によって情報出力部から送信される、前記寄書き参加企画情報に含まれる所定の情報に含まれる。
【００５６】
これによって、発起人は寄書き参加企画に参加する人からの費用徴収や、寄せ書きを作成して贈答する等の準備を行なう業者への依頼、手配、等の煩雑な手間に煩わされることがなくなる。
【発明の効果】
【００５７】
本発明によれば、結婚披露宴、卒業式、記念パーティー等の式や会などへの参加者に限定することなく、広く寄書きへの参加を募ることができ、また寄書きの形式を、希望する任意の形式にあらかじめ定めることが可能な寄書き参加企画システムを提供することができる。
【発明を実施するための最良の形態】
【００５８】
以下、添付図面を参照して本発明の好ましい実施形態を説明する。
【００５９】
図１は本発明の寄書き参加企画システムの実施形態の一例の全体構成図である。この本発明の寄書き参加企画システムは、発起人が立案した寄書き参加企画に関する情報である寄書き参加企画情報を、参加予定者に通知して前記寄書き参加企画への参加を募るものである。
【００６０】
図１に示すように、本発明の寄書き参加企画システムを構成する管理サーバ１１は、インターネット等の通信回線１２を介して、寄書き参加企画を立案した発起人が使用する発起人端末１３、前記発起人が寄書き参加要請通知を届けることを希望する者（すなわち、参加予定者）が使用する参加予定者端末１５（１５ａ〜１５ｎ）、寄書き参加企画の実行を担う業者が使用する提供サーバ１６（１６ａ〜１６ｎ）、寄書き参加企画に参加する者（発起人及び、参加予定者の中で寄書き参加企画に参加することを希望した者）の課金決済を行う金融機関等の課金決済サーバ１７（１７ａ〜１７ｎ）とにそれぞれ接続可能になっている。
【００６１】
また、図示の実施形態では、管理サーバ１１は、寄書きを色紙等の印刷物として編集する編集サーバ１８、編集サーバ１８からの印刷情報の出力を受けて紙媒体等に印刷する印刷手段１９とＬＡＮ等のネットワークにより接続可能になっている。
【００６２】
発起人端案１３は、汎用機であるパーソナルコンピュータ（ＰＣ）にディスプレイ等の表示装置、キーボードやマウス等の入力装置、モデム等の通信手段及びその他周辺機器を備えて構成されたものであるが、インターネット接続可能な携帯電話やＰＤＡ等の装置であってもよい。
【００６３】
参加予定者端末１５（１５ａ〜１５ｎ）（総称として適宜「参加予定者端末１５」という）は、寄書き参加企画を立案した発起人が寄書き参加要請通知を届けることを希望する者（参加予定者）が使用する端末で、同じく汎用機であるＰＣにディスプレイ等の表示装置、キーボードやマウス等の入力装置、モデム等の通信手段及びその他周辺機器を備えて構成されたものであるが、インターネット接続可能な携帯電話やＰＤＡ等の装置であってもよい。
【００６４】
提供サーバ１６（１６ａ〜１６ｎ）（総称として適宜「提供サーバ１６」という）は、寄書き参加企画の実行を担う業者、例えば、発起人が立案した寄書き参加企画に関する情報である寄書き参加企画情報に含まれる寄書きの形状又はサイズに関する情報及び、寄書きの種類に関する情報に基づき、指定された形状・サイズ、種類で、寄書き参加企画に参加を申し込む者から入力・送信された寄せ書きの書き込み情報に基づく情報が掲載された寄せ書きを準備し、前記寄書き参加企画情報に含まれる、寄書きを贈る人を特定する情報及び／又は寄書きを贈る企画を特定する情報に基づき、所定のところに当該準備した寄せ書きを届ける業者の使用するサーバである。この提供サーバ１６も、汎用機であるＰＣやワークステーションにディスプレイ等の表示装置、キーボードやマウス等の入力装置、モデム等の通信手段及びその他周辺機器を備えて構成されたものが相当する。
【００６５】
課金決済サーバ１７（１７ａ〜１７ｎ）は、上記したように課金決済を行う金融機関の課金決済サーバであり、同じく汎用機であるＰＣやワークステーションにディスプレイ等の表示装置、キーボードやマウス等の入力装置、モデム等の通信手段及びその他周辺機器を備えて構成されたものが相当する。
【００６６】
金融機関等には銀行の他、クレジット会社、ＩＳＰ、携帯電話のキャリア等も含まれる。本システムの利用度を高めるためＩＳＰやキャリア等が寄書き参加の課金を課すことが想定されるからである。
【００６７】
管理サーバ１１は、汎用機としてのＰＣやワークステーションに図示しないディスプレイ等の表示装置、キーボードやマウス等の入力装置、モデム等の通信手段及びその他周辺機器を備えて構成されたものが相当する。
【００６８】
図示の実施形態では、管理サーバ１１は、通信手段３１、入力用画面作成手段３２、画像作成手段３３、参加要請通知作成手段３５、判定手段３６、制御手段３７、寄書き参加企画情報記録手段に相当する寄書き参加企画情報ＤＢ２１、寄書き作成用情報記録手段に相当する寄書き作成用情報ＤＢ２２、履歴情報記録手段に相当する履歴情報ＤＢ２３を備えている。
【００６９】
通信手段３１は、通信回線１２を介して発起人端末１３や参加予定者端末１５（１５ａ〜１５ｎ）、提供サーバ１６（１６ａ〜１６ｎ）及び課金決済サーバ１７（１７ａ〜１７ｎ）との情報の送受信を行う機能を有するもので、本発明の寄書き参加企画システムにおける情報取得部及び情報出力部として機能し、例えば、ＰＣ装置が有する入出力処理（制御）装置によって実現されるものである。
【００７０】
寄書き参加企画情報ＤＢ２１は、本発明の寄書き参加企画システムにおける情報取得部で取得した寄書き参加企画情報を記録し、寄書き作成用情報ＤＢ２２は、寄書き作成のためにあらかじめ準備されている関連情報を記録するものである。
【００７１】
寄書き参加企画情報ＤＢ２１、寄書き作成用情報ＤＢ２２、履歴情報ＤＢ２３などのＤＢ（データベース）には、外部記憶装置としてのハードディスク等が相当する。これらのデータベースの記録情報は、データベース管理手段２５が更新、上書き等の処理を行っている。なお記憶装置として管理サーバ１１の外部記憶装置の他に、他のサーバの記憶装置を使用してもよい。
【００７２】
より具体的には、寄書き参加企画情報ＤＢ２１は、発起人が立案した寄書き参加企画に関する情報である寄書き参加企画情報を記録するもので、発起人端末１３に表示される寄書き参加企画申込画面から入力された寄書き参加企画情報、及び参加予定者端末１５に表示される寄書き申込画面から入力される寄書き参加申込情報、等を記録するものである。これらの各情報は、寄書き参加企画ごとに付与される寄書き参加企画ＩＤと関連付けて記録される。
【００７３】
寄書き作成用情報ＤＢ２２は、寄書き作成のためにあらかじめ準備されている関連情報、例えば、寄書きサンプル画像等、貼り付け用の画像その他、寄書き作成用にあらかじめ準備された各種情報を記録するものである。
【００７４】
この寄書き作成用情報ＤＢ２２には、寄書きの書込みが、寄書き画像に反映表示される領域範囲の位置又はサイズに応じて、寄書き参加企画に参加する課金を定めた課金情報も記録されている。
【００７５】
履歴情報ＤＢ２３は、終了した寄書き参加企画に関する各種情報が寄書き参加企画ＩＤに関連付けて記録されるもので、かつて寄書き参加企画情報ＤＢ２１に記録されていた情報を、企画終了によってデータベース管理手段２５により移したものである。
【００７６】
入力用画面作成手段３２は、本発明の寄書き参加企画システムにおける情報出力部から出力する、寄書き参加企画を申し込む寄書き参加企画申し込み画面の表示情報及び、寄書き参加企画情報に基づいて作成した寄書き参加企画への参加を申し込む寄書き申し込み画面の表示情報を作成するものである。
【００７７】
入力用画面作成手段３２によって作成され、本発明の寄書き参加企画システムにおける情報出力部から出力される、寄書き参加企画を申し込む寄書き参加企画申し込み画面の表示情報は、通信回線１２を介して発起人端末１３で取得され、発起人端末１３の画面（例えば、液晶表示画面）に表示される。
【００７８】
そこで、入力用画面作成手段３２は、少なくとも、寄書きの形状又はサイズに関する情報及び、寄書きの種類に関する情報、発起人を特定する情報、寄書きを贈る人を特定する情報及び／又は寄書きを贈る企画を特定する情報、参加締め切り日時に関する情報、参加予定人数に関する情報、前記寄書き参加要請通知を届けることを発起人が希望する者（参加予定者）に寄書き参加要請通知を届けるために必要な情報の入力を促す情報が含まれている前記寄書き参加企画申し込み画面の表示情報を作成する。
【００７９】
寄書き参加企画情報に基づいて入力用画面作成手段３２によって作成され、本発明の寄書き参加企画システムにおける情報出力部から出力される、寄書き参加企画への参加を申し込む寄書き申し込み画面の表示情報は、通信回線１２を介して参加予定者端末１５で取得され、参加予定者端末１５の画面（例えば、液晶表示画面）に表示される。
【００８０】
そこで、入力用画面作成手段３２は、画像作成手段３３によって作成された寄書き画像と、当該寄書き画像に対して寄書きの書込みを促す情報とを含み、当該寄書きの書込みが、前記寄書き画像に反映表示される領域範囲を指定する情報の入力又は当該領域範囲を委託する情報の入力を促す情報が含まれている前記寄書き申し込み画面の表示情報を作成することができる。
【００８１】
入力用画面作成手段３２は、本発明の寄書き参加企画システムにおける情報出力部から出力する、前述した寄書き参加企画申し込み画面の表示情報を、以下に説明するように、前記寄書き作成用情報ＤＢ２２に記録されている情報に基づいて作成する。
【００８２】
また、参加要請通知作成手段３５は、本発明の寄書き参加企画システムにおける情報取得部で取得した、寄書き参加企画申し込み画面に入力された情報（すなわち、発起人が立案した寄書き参加企画に関する情報である寄書き参加企画情報）に基づき、本発明の寄書き参加企画システムにおける情報出力部から出力する、寄書き参加企画への参加を募る寄書き参加要請通知を作成する。
【００８３】
この参加要請通知作成手段３５が作成し、本発明の寄書き参加企画システムにおける情報出力部から出力する、前記寄書き参加要請通知は、本発明の寄書き参加企画システムにおける情報取得部で取得した、寄書き参加企画申し込み画面に入力された情報に含まれている送信先情報に基づく送信先（すなわち、寄書き参加企画を立案した発起人が寄書き参加要請通知を届けることを希望する者（参加予定者）が使用する端末）において、通信回線１２を介して取得され、その画面（例えば、液晶表示画面）に表示される。
【００８４】
画像作成手段３３は、寄書き作成用情報ＤＢ２２に記録されている情報及び、本発明の寄書き参加企画システムにおける情報取得部で取得した、寄書き参加企画申し込み画面に入力された情報、又は、本発明の寄書き参加企画システムにおける情報取得部で取得した、寄書き参加企画申し込み画面および寄書き申し込み画面に入力された情報に基づいて、寄書き画像を作成する。
【００８５】
また、画像作成手段３３は、本発明の寄書き参加企画システムにおける情報取得部で、前記寄書きの書込みが前記寄書き画像に反映表示される領域範囲を委託する情報を取得したときに、前記寄書き画像の所定位置を中心としてその周囲において、当該情報を取得した時点で、未使用領域が多い部分に該当する未使用領域範囲を優先的に前記寄書きの書込みが記載される領域範囲として寄書き画像を作成する。
【００８６】
判定手段３６は、本発明の寄書き参加企画システムにおける情報取得部で取得した、発起人端末１３において寄書き参加企画申し込み画面に入力された情報に、少なくとも、寄書きの形状又はサイズに関する情報及び、寄書きの種類に関する情報、発起人を特定する情報、寄書きを贈る人を特定する情報及び／又は寄書きを贈る企画を特定する情報、参加締め切り日時に関する情報、参加予定人数に関する情報、前記寄書き参加要請通知を届けることを発起人が希望する者に寄書き参加要請通知を届けるために必要な情報の入力を促す情報が含まれているか否かを判定する処理を行う。
【００８７】
また、判定手段３６は、本発明の寄書き参加企画システムにおける情報取得部で取得した、寄書き参加企画に参加を申し込む者に対する課金を決済するための情報である課金決済情報を、本発明の寄書き参加企画システムにおける情報出力部を介して課金決済サーバ１７に送信し、当該課金決済サーバ１７からの課金決済可否の返信情報により、前記課金決済の可否判定を行う。
【００８８】
更に、判定手段３６は、本発明の寄書き参加企画システムにおける情報取得部で取得した寄書き参加企画の参加締め切り日時に関する情報、参加予定人数に関する情報及び、課金決済が可能と判定された当該寄書き参加企画に参加を申し込む者の数に応じて、当該寄書き参加企画の成立可否の判定を行い、この判定結果を記載した判定結果通知情報を作成して、本発明の寄書き参加企画システムにおける情報出力部を介して出力する処理動作を行う。
【００８９】
この判定結果通知情報は、通信回線１２を介して前記寄書き参加企画の発起人端末１３及び、判定手段３６によって課金決済が可能と判定された前記寄書き参加企画に参加を申し込む者が所有している端末（参加予定者端末）１３で取得され、それらの画面（例えば、液晶表示画面）に表示される。
【００９０】
判定手段３６は、更に、寄書き参加企画が成立した場合に、前記の寄書き参加企画情報に含まれる所定の情報を情報出力部から送信すると共に、前記発起人情報及び課金決済が可能と判定された前記寄書き参加企画に参加を申し込む者に関する情報、並びに、前記発起人に対する課金を決済するための情報である課金決済情報と、前記判定手段が課金決済可能と判定した前記寄書き参加企画に参加を申し込む者に対する課金を決済するための情報である課金決済情報とを情報出力部から送信する処理動作を行う。
【００９１】
ここで、本発明の寄書き参加企画システムの情報出力部から送信される、前記寄書き参加企画情報に含まれる所定の情報は、通信回線１２を介して、所定の提供サーバ１６で取得される。
【００９２】
また、本発明の寄書き参加企画システムの情報出力部から送信される、前記発起人情報及び課金決済が可能と判定された前記寄書き参加企画に参加を申し込む者に関する情報、並びに、前記発起人に対する課金を決済するための情報である課金決済情報と、前記判定手段が課金決済可能と判定した前記寄書き参加企画に参加を申し込む者に対する課金を決済するための情報である課金決済情報は、通信回線１２を介して、所定の課金決済サーバ１７で取得される。
【００９３】
なお、判定手段３６によって情報出力部から送信される、前記寄書き参加企画情報に含まれる所定の情報は、寄書き参加企画情報に含まれる寄書きの形状又はサイズに関する情報及び、寄書きの種類に関する情報と、寄書きを贈る人を特定する情報及び／又は寄書きを贈る企画を特定する情報、並びに、判定手段３６が課金決済可能と判定した前記寄書き参加企画に参加を申し込む者から入力・送信された寄せ書きの書き込み情報のように、前記判定手段３６によって成立と判定された寄書き参加企画の実行を所定の業者、例えば、前記寄書き参加企画情報に含まれる寄書きの形状又はサイズに関する情報及び、寄書きの種類に関する情報に基づき、指定された形状・サイズ、種類で、判定手段３６が課金決済可能と判定した前記寄書き参加企画に参加を申し込む者から入力・送信された寄せ書きの書き込み情報に基づく情報が掲載された寄せ書きを準備し、前記寄書き参加企画情報に含まれる、寄書きを贈る人を特定する情報及び／又は寄書きを贈る企画を特定する情報に基づき、所定のところに当該準備した寄せ書きを届ける業者に対して提供する、前記成立した寄書き参加企画の実行を可能ならしめる情報のことをいう。
【００９４】
制御手段３７は、上記各手段の機能を制御するもので、各手段間の情報の送受信を制御する機能も有するものである。
【００９５】
上記した制御手段３７を含めた各手段は、ＰＣ等のＣＰＵ、ＲＡＭ等が本発明の寄書き参加企画システム用に作成されたコンピュータプログラムを実行することによってその機能が発揮されるものである。
【００９６】
本実施形態では、管理サーバ１１が本発明に係る寄書き参加企画システムとして機能するようにしているが、管理サーバ１１の他に他のサーバを設けて機能を分散してもよく、あるいは管理サーバ１１の上記各手段のうち一部を、発起人端末１３、参加予定者端末１５（１５ａ〜１５ｎ）、提供サーバ１６（１６ａ〜１６ｎ）又は課金決済サーバ１７（１７ａ〜１７ｎ）のどれかが代行してもよい。
【００９７】
次に、以上に説明した本発明の寄書き参加企画システムの動作の一例を図２乃至図４の流れ図を参照して説明する。
【００９８】
この中で、図２は、発起人端末１３による寄書き参加企画の申込から参加予定者への参加要請通知の送信までの動作の流れ図（主たる工程としてＳ１０１〜Ｓ１１０）であり、図３及び図４は参加予定者端末１５からの寄書き参加企画申込から寄書き参加企画の成立判定までの動作の流れ図（主たる工程としてＳ２０１〜Ｓ２１４）である。
【００９９】
図２に示すように、発起人端末１３から通信回線１２を介して寄書き参加企画を運営する管理サーバ１１のサイトにそのＵＲＬを入力することによりログインする（Ｓ１０１）。
【０１００】
なお、本発明の寄書き参加企画システムにおいては、課金処理等のため、前提として発起人端末１３を使用する発起人に関しては、課金決済可能か否かが判定され、課金決済可能であると判断された者のみに、例えば、本発明の寄書き参加企画システムを利用する際に使用するＩＤやパスワードが与えられる。
【０１０１】
この課金決済可能か否かの判定は、例えば、管理サーバ１１がログインしてきた発起人端末１３から、クレジット番号などのような、課金を決済するための情報である課金決済情報や、当該発起人を特定する情報（氏名、住所、電子メールアドレスなど）の入力を受け、判定手段３６が、当該課金決済用情報を、例えば、金融機関等（クレジット会社、ＩＳＰ、キャリア等も含む）の課金決済サーバ１７（１７ａ〜１７ｎ）に送信し、課金決済可能か否かの返信を受けることにより判定するものである。
【０１０２】
こうして、課金決済可能であると判定された発起人に関する情報（課金決済情報や、当該発起人を特定する情報（氏名、住所、電子メールアドレスなど））は、寄書き参加企画情報ＤＢ２１に記録されている。
【０１０３】
前記のように、発起人端末１３からログインがあると、判定手段３６が寄書き参加企画情報ＤＢ２１に記録されている情報に基づいて当該発起人の認証を行なった後、管理サーバ１１の入力用画面作成手段３２が、寄書き参加企画申込画面の表示情報を寄書き作成用情報ＤＢ２２に記録されている情報に基づいて作成し、発起人端末１３に送信する（Ｓ１０２）。
【０１０４】
図５は、発起人端末１３の画面に表示される寄書き参加企画申込画面の一例を表す図であり、発起人は、この画面上から寄書き参加企画の内容（（すなわち、発起人が立案した寄書き参加企画に関する情報である寄書き参加企画情報）を入力して申込むことができる。
【０１０５】
この画面上には、少なくとも、寄書きの形状又はサイズに関する情報及び、寄書きの種類に関する情報（例えば、色紙、パネル、アルバム、等の種類を特定する情報）、発起人を特定する情報（例えば、申込者名すなわち発起人名、住所等）、寄書きを贈る人を特定する情報及び／又は寄書きを贈る企画を特定する情報、参加締め切り日時に関する情報、参加予定人数に関する情報、前記寄書き参加要請通知を届けることを発起人が希望する者に寄書き参加要請通知を届けるために必要な情報（たとえば、寄書き参加要請通知を届けることを発起人が希望する者の電子メールアドレス）の入力を促す情報が含まれている。
【０１０６】
また、この画面上に、寄書き参加企画の名称、贈答する寄書きの部数に関する情報、贈答日時に関する情報の入力を促す情報が含まれているようにすることもできる。
【０１０７】
図６は、展示用のパネルに寄書きを表したものの正面図である。展示用のパネル６１は、出席者の見やすい場所である会場の床、壇上等に置かれるもので、下部の台部６２の上に寄書き記載面６３が設けてあり、この寄書き記載面の上部にはプロフィール等を記載する紹介欄６５、肖像等の画像欄６６、が設けてある。これにより寄書きが展示用パネルに記載され、式場や会場にて多くの人に披露されることになる。
【０１０８】
さらに、寄書きをアルバム等で出力するときは作成部数も入力できるとともに、寄書きのサンプルを選択できるようになっている。この寄書きのサンプルは、結婚祝い用、祝賀会用、告別式用等に各種類用意されたもので、画像付タイプ、画像添付可能タイプ等と多くの種類があり、管理サーバ１１の寄書き作成用情報ＤＢ２２にこれらに関する情報が格納されている。入力用画面作成手段３２はこれらの寄書き作成用情報ＤＢ２２に記録されている情報に基づいて寄書き参加企画申込画面の表示情報を作成し、発起人端末１３に送信するのである（Ｓ１０２）。
【０１０９】
発起人は、発起人端末１３の画面（例えば、液晶表示画面）に表示されている参加企画申込画面から、参加締切日時に関する情報、参加予定人数（この人数以上の参加申し込みがあったときに「企画成立」すると発起人が予定している人数）に関する情報を入力する。これは、参加予定人数に達しない場合、例えば、寄書き参加企画の取りやめ（キャンセル）等を予め定めておくためである。
【０１１０】
また、寄書きを贈る人を特定する情報及び／又は寄書きを贈る企画を特定する情報、贈答日時に関する情報を入力する。これによって、寄書きの送付（贈答）先、送付（贈答）日時を特定する。
【０１１１】
更に、寄書き参加要請通知を届けることを発起人が希望する者（参加予定者）に寄書き参加要請通知を届けるために必要な情報（たとえば、寄書き参加要請通知を届けることを発起人が希望する者の電子メールアドレス）を入力する。これにより発起人が寄書き参加企画に参加して欲しい対象を広く募ることができる。
【０１１２】
発起人端末１３の画面上に表示された上記の参加企画申込画面から、発起人が前述したように所定事項を入力して管理サーバ１１に送信する（Ｓ１０３）。
【０１１３】
参加企画申込画面に入力された情報について、判定手段３６が内容をチェックする（Ｓ１０４）。
【０１１４】
すなわち、少なくとも、寄書きの形状又はサイズに関する情報及び、寄書きの種類に関する情報、発起人を特定する情報、寄書きを贈る人を特定する情報及び／又は寄書きを贈る企画を特定する情報、参加締め切り日時に関する情報、参加予定人数に関する情報、前記寄書き参加要請通知を届けることを発起人が希望する者に寄書き参加要請通知を届けるために必要な情報が入力されているか判断し、入力情報が不備であるときはその旨を記載した不備通知とともに、再度寄書き参加企画申込画面を表示する画面情報を発起人端末に送信する。
【０１１５】
前述した情報が入力されていて、入力情報が適式であれば、画像作成手段３３が入力情報（特に、寄書きの形状又はサイズに関する情報及び、寄書きの種類に関する情報）に基づき、寄書きサンプルである寄書き画像（図示せず）を見本として作成する（本発明において、この「寄書きサンプルである寄書き画像」を「寄書きプラン画像」ということがある）。こうして画像作成手段３３によって作成された寄書き画像（寄書きプラン画像）は、入力用画面作成手段３２によって作成され、情報出力部から出力される、前記寄書き参加企画への参加を申し込む寄書き申し込み画面の表示情報に含まれ、通信回線１２を介して発起人端末１３で取得され、発起人端末１３の画面（例えば、液晶表示画面）に表示される（Ｓ１０５）。
【０１１６】
発起人は、前記の寄書き画像（寄書きプラン画像）を了承するか否か判断し（Ｓ１０６）、前記の寄書画像を了承したしたときは、了承の確認の情報を管理サーバ１１に送信する（Ｓ１０７）。
【０１１７】
また、前記の寄書き画像（寄書きプラン画像）に不満であるときは、再度寄書き参加企画申込画面の表示を求める旨の情報を送信する（Ｓ１０８）。
【０１１８】
管理サーバ１１では、寄書き画像（寄書きプラン画像）の確認情報が発起人端末１３から送信されているかを判定手段３６が判定する（Ｓ１０９）。
【０１１９】
発起人による寄書き画像（寄書きプラン画像）の承認（許可確認）、すなわち発起人端末１３からの承認の送信がなされているときは、参加要請通知作成手段３５が、発起人端末１３において寄書き参加企画申込画面で入力されていた参加予定者の電子メールアドレスに、参加要請通知を作成して送信する（Ｓ１１０）。
【０１２０】
発起人端末１３から、上記の承認情報ではなく、再度寄書き参加企画申込画面の表示を求める旨の情報が送信されているときは、Ｓ１０２の工程に戻って、再度寄書き参加企画申込画面を表示する画面情報を発起人端末に送信する。
【０１２１】
ここで、参加要請通知作成手段３５が作成する寄書き参加要請通知は、発起人端末１３において寄書き参加企画申込画面に入力されていた、発起人が立案した寄書き参加企画に関する情報である寄書き参加企画情報に基づいて作成される。例えば、寄書き参加企画情報に含まれている情報の中から、発起人を特定する情報、寄書きを贈る人を特定する情報及び／又は寄書きを贈る企画を特定する情報を抽出し、これらを用いて作成される。
【０１２２】
次に、図３及び図４を参照して、参加予定者端末１５（１５ａ〜１５ｎ）による寄書き参加企画への参加手順について説明する。なお図３と図４とで１つの流れ図を構成しているものである（Ｓ２０１〜Ｓ２１４）。
【０１２３】
寄書き参加企画への参加を要請する電子メールの寄書き参加要請通知を受信した参加予定者端末１５（１５ａ〜１５ｎ）は、電子メールの画面上に記載されているＵＲＬを入力することにより、管理サーバ１１の運営するサイトにログインする（Ｓ２０１）。
【０１２４】
なお、以下では、寄書き参加企画への参加を要請する電子メールの寄書き参加要請通知を受信した参加予定者端末１５ａが、電子メールの画面上に記載されているＵＲＬを入力することにより、管理サーバ１１の運営するサイトにログインする（Ｓ２０１）したものとして説明する。
【０１２５】
図７は、寄書き参加要請通知である電子メールの内容が参加予定者端末１５ａの画面（例えば、液晶画面）に表示された状態の一例を表す図である。
【０１２６】
図示の例では、発起人が参加要請した寄書き参加企画の紹介と、詳細内容を示すサイトのＵＲＬ、この寄書き参加企画のＩＤ、パスワードが記載されている。このＩＤ、パスワードは、例えば、参加申込状態を管理サーバ１１に問い合わせするとき等に入力使用するものである。
【０１２７】
参加予定者端末１５ａからＵＲＬを入力してログインしてきたときは、入力用画面作成手段３２が、寄書き参加企画情報ＤＢ２１に記録されている寄書き参加企画情報に基づいて作成した寄書き参加企画への参加を申し込む寄書き申し込み画面の表示情報を作成し、当該参加予定者端末１５ａに送信する（Ｓ２０２）。
【０１２８】
図８乃至図１０は、寄書き申し込み画面の表示情報が、参加予定者端末１５ａの画面（例えば、液晶画面）に表示された状態の一例を表した図であり、図８は上記した寄書きをパネル展示する企画の寄書き申込画面（ＰＣ用）で、図９は同じく寄書きをパネル展示する企画の寄書き申込画面（携帯電話用）である。
【０１２９】
図８図示の例では、前述したＳ１０５の工程で作成され、Ｓ１０９の工程で発起人の承認を受けた寄書き画像（寄書きプラン画像）と、寄書き参加企画情報ＤＢ２１に記録されている寄書き参加企画情報に基づき、当該寄書き参加企画情報から抽出して作成した情報である、寄書きを贈る人を特定する情報及び／又は寄書きを贈る企画を特定する情報及び、前記寄書き画像（寄書きプラン画像）に対して寄書きの書込みを促す情報と、当該寄書きの書込みが前記寄書き画像（寄書きプラン画像）に反映表示される領域範囲を指定する情報の入力を促す情報が含まれている。
【０１３０】
図９、図１０図示の例では、前述したＳ１０５の工程で作成され、Ｓ１０９の工程で発起人の承認を受けた寄書き画像（寄書きプラン画像）と、寄書き参加企画情報ＤＢ２１に記録されている寄書き参加企画情報に基づき、当該寄書き参加企画情報から抽出して作成した情報である、寄書きを贈る人を特定する情報及び／又は寄書きを贈る企画を特定する情報及び、前記寄書き画像（寄書きプラン画像）に対して寄書きの書込みを促す情報と、当該寄書きの書込みが前記寄書き画像（寄書きプラン画像）に反映表示される領域範囲を指定する情報の入力を促す情報（「書き込み領域（区画）の選択（要クリック）」、「位置優先  ご希望位置優先」）と、当該寄書きの書込みが前記寄書き画像に反映表示される領域範囲を委託する情報の入力を促す情報（「おすすめ」、「大きさ優先」、「位置優先」、「お値段優先」）が含まれている。
【０１３１】
また、図８乃至図１０のいずれの寄書き申し込み画面の表示情報においても、寄書き参加企画に参加を申し込む者（参加予定者端末１５ａを操作して、Ｓ２０１からの工程を行なっている者）に対する課金を決済するための情報である課金決済情報の入力を促す情報が含まれている。
【０１３２】
図８の寄書き申し込み画面（ＰＣの表示画面）は、図９の寄書き申し込み画面（携帯電話の表示画面）よりも画面が広く見やすいため、寄書きプラン画像で書込みのされていない未使用の領域範囲をクリックすることで、寄書きの書込み範囲を指定することができるようになっている。ここでは破線（点線）で区切られた領域範囲を一区画とし、例えば３区画まで選択できるようになっている。そして指定した区画数に応じて課金されることになる。
【０１３３】
そしてさらに、申込者（参加予定者端末１５ａを操作している参加予定者）名のほかに、参加要請通知の電子メールに表示されたパスワードの入力と、代金決済方法の選択とその番号（クレジット番号、携帯電話のユーザパスワード等）である課金決済用情報の入力とを行って、寄書き申込を行う（Ｓ２０３）。
【０１３４】
図９は、画面の比較的狭い携帯電話に表示される寄書き申込画面の図である。図９に示すように、画面上で未使用の領域範囲を探してクリック選択するのが困難である場合を考慮して、領域範囲の選択を本システムに委託することができる。すなわち領域範囲の位置を全面的に任せる「おすすめ」と、できるだけ大きい領域範囲を所望する「大きさ優先」と、寄書きの中心位置に近い領域範囲を所望する「位置優先（中心位置）」と、費用が安価である領域範囲を希望する「お値段優先」とが、選択できるように別途用意されている。なお代金決済方法等の入力はＰＣ用と同じである。
【０１３５】
図１０は、利用の便宜を図るため、ＰＣ及び携帯電話用とした、寄書き申込画面である。比較的参加者が少ない企画では、領域数が少ないので、画面上の未使用の領域範囲の区別が容易であるため、クリック選択の入力を設けるとともに、領域範囲の選択を本システムに委託するメニュー欄を上記の図９と同様に設けたものである。なおここでは、領域範囲をクリックすると別画面（表示せず）で料金等が表示され、また希望位置優先が別画面（表示せず）でできるようになっている。
【０１３６】
図１１は、領域範囲の選択を本発明の寄書き参加企画システムに委託する「おすすめ」が選択されたとき（すなわち、本システムの情報取得部で、寄書きの書込みが寄書き画像（寄書きプラン画像）に反映表示される領域範囲を委託する情報を取得したとき）に、画像作成手段３３が、寄書き画像（寄書きプラン画像）の所定位置を中心としてその周囲において、当該情報を取得した時点で、未使用領域が多い部分に該当する未使用領域範囲を優先的に前記寄書きの書込みが記載される領域範囲として寄書き画像を作成する工程の一例を説明する図で、（ａ）は領域範囲の位置情報の説明図、（ｂ）は位置情報の一覧図である。ここでは寄書きのバランスをとるために、寄書きの記載がなされた領域範囲を分散させるものである。
【０１３７】
図１１（ａ）に示すように、寄書き画像の平面の重心Ｇと寄書き画像平面の端部の所定の一点Ｔとを結ぶ線分ＧＴを基準線とする。領域範囲５１ａ（その重心位置ａ）の位置を、重心Ｇと重心ａとの距離Ｌ＝Ｇａと、角度θ＝∠ＴＧａとで特定する。角度はＧＴを基線として時計方向に測定する。
【０１３８】
このように長さベクターＬと角度θとで領域範囲を特定すると、図１１（ｂ）に示すように、寄書き画像にある書込みの領域範囲をそれぞれこのパラメータで表示、集計できる。このとき、角度π≦θ≦３π／２の範囲にあるベクターＬの和が８であることから、使用されている領域範囲の数が最も少ないことがわかる。
【０１３９】
そして０．５≦Ｌ≦０．７５の範囲での使用領域が１個でもっとも少ないことがわかる。そこで、「おまかせ」の領域範囲の選択のときは、寄書きの記載バランスをとるために、角度π≦θ≦３π／２の範囲で、かつベクターＬが０．５≦Ｌ≦０．７５のときにある、未使用の領域範囲を選択することにするという、この方法が一例として採用されている。この手順は画像作成手段３３の一機能として行われるものである。
【０１４０】
図３の流れ図に戻り、上記したように寄書き申込画面への入力情報は、管理サーバ１１に送信され、判定手段３６が課金決済の認諾又は拒否を、代金決済用情報等で判定する（Ｓ２０４）。具体的には代金決済方法で指定した決済の金融機関等（クレジット会社、ＩＳＰ、キャリア等も含む）の課金決済サーバ１７（１７ａ〜１７ｎ）に課金決済用情報を送信し、課金決済可能か否かの返信により判定する。
【０１４１】
なお、この際、入力用画面作成手段３２が、寄せ書き参加企画実行に要する費用をどのようにして負担するかに関する情報の入力を促す情報が含まれている寄書き参加企画申し込み画面の表示情報を作成し、かかる、寄せ書き参加企画実行に要する費用をどのようにして負担するかに関する情報の入力を促す情報に応じて、発起人が、発起人端末１３の画面に表示されている寄書き参加企画申し込み画面から、寄せ書き参加企画実行に要する費用を均等に参加者で分担して負担するとの情報を入力している場合には、判定手段３６が、この寄せ書き参加企画に参加する各人（発起人と、この時点で参加を申し込んでいる参加予定者の各人）が負担すべき費用の額（課金の額）を、寄せ書き参加企画実行に要する費用を均等に参加者で分担して負担した金額とする処理を行うようになる。
【０１４２】
一方、前記の寄せ書き参加企画実行に要する費用をどのようにして負担するかに関する情報の入力を促す情報に応じて、発起人が、発起人端末１３の画面に表示されている寄書き参加企画申し込み画面から、その寄書きの書込みを記載する位置（領域範囲）、その寄書きの書込みの大きさ（サイズ）に応じて、この寄書き参加企画に参加する際の各人の費用負担が異なるようにするとの情報を入力している場合には、判定手段３６が、この寄せ書き参加企画に参加する各人（発起人と、この時点で参加を申し込んでいる参加予定者の各人）が負担すべき費用の額（課金の額）を、寄書き作成用情報ＤＢ２２に記録されている、寄書きの書込みが寄書き画像に反映表示される領域範囲の位置又はサイズに応じて寄書き参加企画に参加する課金を定めた課金情報を参照して算出する処理を行なう。
【０１４３】
課金決済サーバ１７（１７ａ〜１７ｎ）から課金決済を否定する返信があったときは、判定手段３６は、課金決済拒否の判定を行い、寄書き申込の断りの通知を、対象の参加予定者端末１５ａに送信する（Ｓ２０５）。これにより、図３、図４に（１）で示す工程のように終了する。
【０１４４】
課金決済サーバ１７（１７ａ〜１７ｎ）から課金決済が可能とする返信があったときは、判定手段３６は、課金決済認諾の判定を行い、寄書きの書込み画面（図示しない）（寄書きプラン画像）を、参加予定者端末１５ａに送信する（Ｓ２０６）。
【０１４５】
参加予定者端末１５ａの画面に表示された寄書きの書込み画面（図示せず）において、所定の書込み情報が入力されて管理サーバ１１に送信される（Ｓ２０７）。
【０１４６】
画像作成手段３３は、送信されてきた所定の書込み情報が、寄書き画像の作成に適したものでないときは、入力のやり直しのために寄書きの書込み画面（図示しない）の画面情報を作成し、参加予定者端末１５ａに再度送信する（Ｓ２０８）。
【０１４７】
所定の書込み情報が適式なものであるときは、画象作成手段３３が寄書き画像を作成し、その画像情報を所定の書込み情報を送信してきた参加予定者端末１５ａに送信する（Ｓ２０９）。なおこの寄書き画像は、その時点での寄書き画像である。
【０１４８】
送信されてきた寄書き画像情報により、参加予定者端末１５ａの画面上に寄書き画像を表示して、その確認を行う（Ｓ２１０）。寄書き画像への書込み情報を再入力したいときは、その旨の情報を送信することで（図３の（２）で示す工程）、再度、Ｓ２０６の工程から、寄書きの書込み画面が表示される。
【０１４９】
寄書き画像を了承したときは、確認の情報を入力して管理サーバに送信する（Ｓ２１１）。
【０１５０】
このように、寄書き画像は、新たな参加予定者からその参加予定者端末１５を介して参加申し込みがされ、寄書きの書き込みが行なわれるたびごとに作成され、更新された寄書き画像情報として、寄書き参加企画のＩＤに関連付けられて、寄書き参加企画情報ＤＢ２１に記録される。
【０１５１】
例えば、前記のように、参加予定者端末１５ａを使用している参加予定者からの参加申し込みが受け付けられて（Ｓ２０４）、寄書きの書込みが行なわれて承認（Ｓ２１１）された後、寄書き参加企画のＩＤに関連付けられて、寄書き参加企画情報ＤＢ２１に記録されている寄書き画像情報は、この参加予定者端末１５ａを使用している参加予定者が、前述した寄書き画像（寄書きプラン画像）に寄せ書きを書き込んだ後のものである。
【０１５２】
そこで、この後、例えば、参加予定者端末１５ｂを使用している参加予定者からの参加申し込みが受け付けられて（Ｓ２０４）、寄せ書きを書き込み画面が作成されて（Ｓ２０６）、参加予定者端末１５ｂを使用している参加予定者に対して、寄せ書きの書き込みが促される際には、前述した、参加予定者端末１５ａを使用している参加予定者が、寄書き画像（寄書きプラン画像）に寄せ書きを書き込んだ後のものが表示されることになる。
【０１５３】
なお、前述したＳ２０４の工程で課金決済が可能と判定された寄書き参加企画に参加を申し込む者に関する情報（課金決済情報や、当該参加予定者を特定する情報（氏名、住所、電子メールアドレスなど））も、寄書き参加企画のＩＤに関連付けられて、寄書き参加企画情報ＤＢ２１に記録される。
【０１５４】
判定手段３６は、寄書き参加企画情報ＤＢ２１に各寄書き参加企画のＩＤに関連付けられて記録されている参加締め切り日時に関する情報、参加予定人数に関する情報及び、判定手段３６により前述したＳ２０４の工程で課金決済が可能と判定された寄書き参加企画に参加を申し込む者の数に応じて、寄書き参加企画の成立可否の判定を行う（Ｓ２１２）。
【０１５５】
判定手段３６により前述したＳ２０４の工程で課金決済が可能と判定された寄書き参加企画に参加を申し込む者の数が参加予定人数に達していないが（Ｓ２１２）、まだ参加締め切り日時になっておらず、参加期間が終了していないときは、図４、図３に（５）で示すように、そのまま参加予定者からのログインを待つことになる（Ｓ２１３）。なおこのとき、参加要請通知作成手段３５が行なう処理動作として、参加要請通知を、再度、参加予定者端末１５に送信する扱いとする条件を寄書き参加企画申込画面で入力しておくことができる。
【０１５６】
判定手段３６により前述したＳ２０４の工程で課金決済が可能と判定された寄書き参加企画に参加を申し込む者の数が参加予定人数に達しておらず（Ｓ２１２）、参加締め切り日時になったとき（Ｓ２１３）は、寄書き参加企画の成立判定を行ない（Ｓ２１４）、例えば、寄書き参加企画不成立の判定を行ない、判定手段３６が、この判定結果を記載した判定結果通知情報を作成して、情報出力部を介して発起人端末１３、参加予定者端末１６（判定手段３６により前述したＳ２０４の工程で課金決済が可能と判定された寄書き参加企画に参加を申し込む者が使用している参加予定者端末１６）に出力して、終了する。
【０１５７】
一方、参加締め切り日時になっておらず、参加期間が終了していないにもかかわらず、判定手段３６により前述したＳ２０４の工程で課金決済が可能と判定された寄書き参加企画に参加を申し込む者の数が参加予定人数に達したとき（Ｓ２１２）には、寄書き参加企画の成立判定を行ない（Ｓ２１４）、例えば、寄書き参加企画成立の判定を行ない、判定手段３６が、この判定結果を記載した判定結果通知情報を作成して、情報出力部を介して発起人端末１３、参加予定者端末１６（判定手段３６により前述したＳ２０４の工程で課金決済が可能と判定された寄書き参加企画に参加を申し込む者が使用している参加予定者端末１６）に出力して、終了する。
【０１５８】
なお、判定手段３６により前述したＳ２０４の工程で課金決済が可能と判定された寄書き参加企画に参加を申し込む者の数が参加予定人数に達しておらず（Ｓ２１２）、参加締め切り日時になったとき（Ｓ２１３）に、Ｓ２１４の工程に進まず、判定手段３６により情報出力部を介して発起人端末１３に、その旨を通知し、その後の方策についての指示情報入力を促し、これに応じて、発起人端末１３から「これで終了する」との指示情報を受けた際に、Ｓ２１４の工程に進んで、寄書き参加企画不成立とし、一方、新たな参加締め切り日時に関する情報の入力を受けて、参加予定者からのログインを待つとの指示情報の入力を受けた場合には、Ｓ２０１の工程に戻り、参加要請通知作成手段３５が行なう処理動作により、新たな参加要請通知を、再度、参加予定者端末１５に送信して、参加予定者からのログインを待つループに戻るようにすることもできる。
【０１５９】
判定手段３６は、寄書き参加企画が成立した場合（Ｓ２１４）に、寄書き参加企画情報ＤＢ２１に記録されている寄書き参加企画情報に含まれる所定の情報を情報出力部から提供サーバ１６に送信する。
【０１６０】
この提供サーバ１６は、前記の成立した寄書き参加企画の実行を行なう所定の業者が使用しているサーバ装置である。例えば、前記寄書き参加企画情報に含まれる寄書きの形状又はサイズに関する情報及び、寄書きの種類に関する情報に基づき、指定された形状・サイズ、種類で、判定手段３６が課金決済可能と判定した寄書き参加企画に参加を申し込む者から入力・送信された寄せ書きの書き込み情報に基づく情報が掲載された寄せ書きを準備し、寄書き参加企画情報に含まれる、寄書きを贈る人を特定する情報及び／又は寄書きを贈る企画を特定する情報に基づき、所定のところに当該準備した寄せ書きを届ける業者が使用しているサーバ装置である。
【０１６１】
また、ここで、判定手段３６が、情報出力部から提供サーバ１６に送信する、寄書き参加企画情報ＤＢ２１に記録されている寄書き参加企画情報に含まれる所定の情報は、前記の所定の業者が、当該成立した寄書き参加企画を前述したように実行するために必要な情報のことであり、この所定の情報には、例えば、前記寄書き参加企画情報に含まれる寄書きの形状又はサイズに関する情報及び、寄書きの種類に関する情報、判定手段３６が課金決済可能と判定した寄書き参加企画に参加を申し込む者から入力・送信された寄せ書きの書き込み情報、寄書き参加企画情報に含まれる、寄書きを贈る人を特定する情報及び／又は寄書きを贈る企画を特定する情報が少なくとも含まれる。
【０１６２】
こうして、例えば、寄書きがアルバム、展示パネルとして表示されるときは、そのサービス提供を行う所定の業者の提供サーバ１６に寄書き参加企画の所定の情報を送信することで、業者への発注等の処理が迅速に行える。
【０１６３】
また、判定手段３６は、寄書き参加企画が成立した場合（Ｓ２１４）に、寄書き参加企画情報ＤＢ２１に記録されている、発起人情報及び判定手段３６によって課金決済が可能と判定された前記寄書き参加企画に参加を申し込む者に関する情報、並びに、前記発起人に対する課金を決済するための情報である課金決済情報と、判定手段３６が課金決済可能と判定した前記寄書き参加企画に参加を申し込む者に対する課金を決済するための情報である課金決済情報とを情報出力部から課金決済サーバ１７に送信する処理を行なう。
【０１６４】
これにより、寄書き参加企画で発生する課金処理を迅速に行なうことができる。
【０１６５】
なお、この際、入力用画面作成手段３２が、寄せ書き参加企画実行に要する費用をどのようにして負担するかに関する情報の入力を促す情報が含まれている寄書き参加企画申し込み画面の表示情報を作成し、かかる、寄せ書き参加企画実行に要する費用をどのようにして負担するかに関する情報の入力を促す情報に応じて、発起人が、発起人端末１３の画面に表示されている寄書き参加企画申し込み画面から、寄せ書き参加企画実行に要する費用を均等に参加者で分担して負担するとの情報を入力している場合には、判定手段３６が、この寄せ書き参加企画に参加する各人（発起人と、判定手段３６が寄せ書き参加企画成立と判定した時点の参加を申し込んでいる参加予定者の各人）が負担すべき費用の額（課金の額）を、寄せ書き参加企画実行に要する費用を均等に参加者で分担して負担した金額とする処理を行うようになる。
【０１６６】
一方、前記の寄せ書き参加企画実行に要する費用をどのようにして負担するかに関する情報の入力を促す情報に応じて、発起人が、発起人端末１３の画面に表示されている寄書き参加企画申し込み画面から、その寄書きの書込みを記載する位置（領域範囲）、その寄書きの書込みの大きさ（サイズ）に応じて、この寄書き参加企画に参加する際の各人の費用負担が異なるようにするとの情報を入力している場合には、判定手段３６が、この寄せ書き参加企画に参加する各人（発起人と、判定手段３６が寄せ書き参加企画成立と判定した時点の参加を申し込んでいる参加予定者の各人）が負担すべき費用の額（課金の額）を、寄書き作成用情報ＤＢ２２に記録されている、寄書きの書込みが寄書き画像に反映表示される領域範囲の位置又はサイズに応じて寄書き参加企画に参加する課金を定めた課金情報を参照して算出する処理を行なう。
【０１６７】
なお、以上の実施形態では寄せ書き参加企画成立の場合、判定手段３６が、寄書き参加企画情報ＤＢ２１に記録されている、発起人情報及び判定手段３６によって課金決済が可能と判定された前記寄書き参加企画に参加を申し込む者に関する情報、並びに、前記発起人に対する課金を決済するための情報である課金決済情報と、判定手段３６が課金決済可能と判定した前記寄書き参加企画に参加を申し込む者に対する課金を決済するための情報である課金決済情報とを情報出力部から課金決済サーバ１７に送信するようになっているが、前述した（Ｓ２０４）の工程で、判定手段３６が課金決済確認を行なうときに、判定手段３６が、課金決済情報を送信してきた参加予定者に関する参加予定者情報及び、当該参加予定者に対する課金を決済するための情報である課金決済情報とを情報出力部から課金決済サーバ１７に送信する形態にすることもできる。
【０１６８】
この場合には、判定手段３６が寄書き参加企画不成立と判定したときに、課金処理のキャンセル情報を金融機関等の課金決済サーバ１７に送信することになる。
【０１６９】
なお、図１図示の実施形態の場合、寄書きが色紙印刷等のときには、編集サーバ１８に必要な情報を送信し、印刷手段１９での色紙への寄書き印刷を行なうようにすることもできる。
【０１７０】
以上説明したように、本発明の寄書き参加企画システムによれば、発起人が所望する形式の寄書きと、その種類、サイズ等を指定できるともに、寄書きへの参加を広く募ることも、あるいは参加予定者を寄書きの贈答先と親密な関係者に絞ることもできる。
【０１７１】
また参加予定者は、参加要請通知を受けることで、遠隔地にいるときでも寄書きに参加でき、また寄書きの記入位置等を選択、確認することができる。
【０１７２】
このように、単に寄書きを贈答するのでなく、心を込めた言葉を、心の花束として祝いの式、或いはお悔やみの式で贈答できる仕組みとその仕組みへの参加を募るシステムを提供することができる。
【０１７３】
なお、寄書きは、単独で贈答することも、あるいは贈答品とともに贈ることも可能で、特にグループによる贈答品の場合に、本発明の寄書き参加企画システムを併用することができる。
【０１７４】
以上、添付図面を参照して本発明の好ましい実施形態を説明したが、本発明はかかる実施形態に限定されるものではなく、特許請求の範囲の記載から把握される技術的範囲において種々の形態に変更可能である。
【図面の簡単な説明】
【０１７５】
【図１】本発明の寄書き参加企画システムの一例の概略構成を説明する全体構成図。
【図２】本発明の寄書き参加企画システムの動作の一例を説明する流れ図。
【図３】本発明の寄書き参加企画システムの動作の一例を説明する流れ図。
【図４】本発明の寄書き参加企画システムの動作の一例を説明する流れ図。
【図５】発起人端末の画面に表示される寄書き参加企画申込画面の一例を説明する図。
【図６】寄書きを展示用のパネルとした場合の一例を説明する正面図。
【図７】参加要請通知の電子メールの画面の一例を表示した図。
【図８】寄書き申込画面（ＰＣ用）の一例を表示した図。
【図９】寄書き申込画面（携帯電話用）の一例を表示した図。
【図１０】寄書き申込画面（共通）の一例を表示した図。
【図１１】（ａ）領域範囲の決定方法の一例を説明する領域範囲の位置情報の説明図、（ｂ）領域範囲の決定方法の一例を説明する位置情報の一覧図。
【符号の説明】
【０１７６】
１１  管理サーバ
１３  発起人端末
１５（１５ａ〜１５ｎ）  参加予定者端末
１６（１６ａ〜１６ｎ）  提供サーバ
１７（１７ａ〜１７ｎ）  課金決済サーバ
２１  寄書き参加企画情報ＤＢ
２２  寄書き作成用情報ＤＢ
３２  入力用画面情報作成手段
３３  画像作成手段
３５  参加要請通知作成手段
３６  判定手段
【図１】
2008052572.tif 000003
【図２】
2008052572.tif 000004
【図３】
2008052572.tif 000005
【図４】
2008052572.tif 000006
【図５】
2008052572.tif 000007
【図６】
2008052572.tif 000008
【図７】
2008052572.tif 000009
【図８】
2008052572.tif 000010
【図９】
2008052572.tif 000011
【図１０】
2008052572.tif 000012
【図１１】
2008052572.tif 000013